(57)【要約】【課題】  短絡電流が流れた場合に、確実に可動コアがバネ力により引き外し連動軸を回転させることができる回路遮断器を提供する。【解決手段】  電流を入り切りする開閉機構と、可動コア１が固定コア３の方向への移動を抑制する戻しバネ２を有し、過電流時に可動コア１が固定コア３の方向へ移動して自動遮断する引き外し機構とを備える回路遮断器において、引き外し機構の戻しバネ２は、可動コア１が固定コア３の方向へ所定の位置まで移動すると、可動コア１を固定コア３の方向へ移動するよう加勢し、引き外し連動軸を回転させてトリップさせる。【選択図】        図２
2005353336.tif 000002
【特許請求の範囲】
【請求項１】
電流を入り切りする開閉機構と、可動コアが固定コアの方向への移動を抑制する戻しバネを有し、過電流時に可動コアが固定コアの方向へ移動して自動遮断する引き外し機構とを備える回路遮断器において、
前記引き外し機構の戻しバネは、可動コアが固定コアの方向へ所定の位置まで移動すると、可動コアを固定コアの方向へ移動するよう加勢し、引き外し連動軸を回転させてトリップさせることを特徴とする回路遮断器。
【請求項２】
上記引き外し機構の戻しバネは、リンク機構により反転し、可動コアを固定コアの方向へ移動するよう加勢する請求項１記載の回路遮断器。
【請求項３】
上記戻しバネにより負性された可動コアが過電流時に動作し、可動フレームが回転して接点を開極させると、その回転力により可動コアを初期状態に復帰させる請求項１又は２に記載の回路遮断器。
【発明の詳細な説明】
【技術分野】
【０００１】
本発明は、回路遮断器であり、特に短絡電流を検知し、遮断器をトリップさせる引き外し装置に関するものである。
【背景技術】
【０００２】
短絡電流を検知し、引き外し装置によりトリップさせて回路を遮断する回路遮断器が知られている（特許文献１参照）。図５に従来形の引き外し装置を示す。可動コア１は、戻しバネ２により負性されている。導体９に短絡電流のような大電流が流れると、固定コア３と可動コア１に発生する電磁力により、可動コア１は可動コア回転軸８を中心に時計周りに回転し、固定コア３に吸引され、連動軸４と接触し、連動軸４を連動軸回転中心４ａを中心に反時計周りに回転し、ラッチ５とトリップ金具６との係合が外れ、遮断器がトリップする。しかし、電磁力が弱い場合には連動軸４の回転力に押し戻されてトリップしない場合がある。トリップしない場合は、トリップ機構のラッチ５の係りが減少しており、次に過電流が流れれば場合、設定以下の電流でもトリップ動作することがあった。そのため、瞬時動作を範囲の上限に調整する必要があり、その結果として、動作バラツキ範囲が大きくなっていた。それを解決するために、動作すべき過電流が流れた場合に確実にメカを引き外す方式を検討する必要があった。
【特許文献１】特開２００１−２５６８７５号公報
【発明の開示】
【発明が解決しようとする課題】
【０００３】
本発明は、従来の問題を解決するものであり、短絡電流が流れた場合に、確実に可動コアがバネ力により引き外し連動軸を回転させることができる回路遮断器を提供することを目的とする。
【課題を解決するための手段】
【０００４】
前述の目的は、可動コアと戻しバネの反転機構を設けることにより解決できる。
【０００５】
すなわち、本発明は、電流を入り切りする開閉機構と、可動コアが固定コアの方向への移動を抑制する戻しバネを有し、過電流時に可動コアが固定コアの方向へ移動して自動遮断する引き外し機構とを備える回路遮断器において、前記引き外し機構の戻しバネは、可動コアが固定コアの方向へ所定の位置まで移動すると、可動コアを固定コアの方向へ移動するよう加勢し、引き外し連動軸を回転させてトリップさせる回路遮断器である。
【０００６】
また、本発明は、上記引き外し機構の戻しバネは、リンク機構により反転し、可動コアを固定コアの方向へ移動するよう加勢する回路遮断器である。
【０００７】
そして、本発明は、上記戻しバネにより負性された可動コアが過電流時に動作し、可動フレームが回転して接点を開極させると、その回転力により可動コアを初期状態に復帰させる回路遮断器である。
【発明の効果】
【０００８】
本発明によれば、低瞬時動作電流の弱い電磁力においても、確実にトリップさせ、瞬時動作電流値を下げることが可能となる。
【発明を実施するための最良の形態】
【０００９】
本発明を実施するための最良の形態を説明する。
本発明の回路遮断器は、瞬時動作時に電磁力のみならず、戻しバネ力を用いて、連動軸を回転させ遮断器をトリップさせる方式である。以下、本発明の回路遮断器の実施例について、図面を用いて説明する。図１は、実施例１の回路遮断器の全体図である。図２は、実施例１の回路遮断器の引き外し部の説明図である。図３は、実施例２の回路遮断器におけるトリップ状態の説明図である。図４は、実施例２の回路遮断器におけるリセット状態の説明図である。
【実施例１】
【００１０】
実施例１を説明する。本実施例の回路遮断器の全体を図１に示す。１は可動コア、２は戻しバネ、３は固定コア、４は連動軸、５はラッチ、６はトリップ金具、７は可動フレーム、８は可動コア回転軸、９は導体、１０は可動接点台、１１は固定接点台である。
【００１１】
本実施例の回路遮断器の引き外し装置部を図２に示す。従来は図５、６に示す通り、低い短絡電流の場合、可動コア１が固定コア３に吸引された時、戻しバネ２の反力（戻し力）により可動コア１が連動軸４をラッチ５とトリップ金具６の係合が外れる前に戻され、遮断器がトリップしない場合があった。本実施例においては、図２に示すように、可動コア１と戻しバネ２を反転機構とすることにより、可動コアが固定コアの方向へ所定の位置まで移動すると、可動コアを固定コアの方向へ移動するよう加勢し、可動コア１が固定コア３に吸引され、戻しバネ２が可動コア１が時計方向に回転することにより、戻しバネ２に作用線が可動コア回転軸８を超えた時点で、戻しバネ力が、固定コア３に吸引される方向にバネの力が働き、戻しバネ２力により可動コア１を動作させ、連動軸４を反時計方向に確実に回転させ、トリップ金具６とラッチ５の係合がはずれ、遮断器がトリップ状態となる。
【実施例２】
【００１２】
実施例２を説明する。本実施例の引き外し装置は、実施例２と比較して、可動コア戻し板１ａ、可動フレーム板７ｂを有しており、接点開極後に可動コア１を初期状態の位置に戻すことができる。本実施例の引き外し装置において、図３のように可動コア１が固定コア３に吸引されると、可動フレーム７が可動フレーム軸７ａを中心に時計方向に回転して接点を開極し、そして、可動フレーム軸７ａの一端に設けた可動フレーム板７ｂも回転して可動コア１の一端に設けた可動コア戻し板１ａに当たって押圧する。可動コア戻し板１ａが押圧されると、可動コア回転軸８を中心に可動コア１が反時計方向に回転するため、可動コア１と戻しバネ２を、図４に示す通り初期状態の位置に戻すことが出来る。
【図面の簡単な説明】
【００１３】
【図１】実施例１の回路遮断器の全体図。
【図２】実施例１の回路遮断器の引き外し部の説明図。
【図３】実施例２の回路遮断器におけるトリップ状態の説明図。
【図４】実施例２の回路遮断器におけるリセット状態の説明図。
【図５】従来技術の引き外し部の説明図。
【図６】従来技術における引き外し状態の説明図。
【符号の説明】
【００１４】
１：可動コア
１ａ：可動コア戻し板
２：戻しバネ
３：固定コア
４：連動軸
５：ラッチ
６：トリップ金具
７：可動フレーム
７ａ：可動フレーム軸
７ｂ：可動フレーム板
８：可動コア回転軸
９：導体
１０：可動接点台
１１：固定接点台
【図１】
2005353336.tif 000003
【図２】
2005353336.tif 000004
【図３】
2005353336.tif 000005
【図４】
2005353336.tif 000006
【図５】
2005353336.tif 000007
【図６】
2005353336.tif 000008